(57)【特許請求の範囲】
【請求項１】
室内送信回路と室内受信回路を接続した室内通信回路と、この室内通信回路を制御する室内制御部が設けられている室内機と、
室外送信回路と室外受信回路を接続した室外通信回路と、この室外通信回路を制御する室外制御部とが設けられている室外機を備え、
前記室内送信回路と室外受信回路とが制限抵抗を介して電線で接続され、
前記室内受信回路が制限抵抗を介して室内電源回路に接続されると共に、室外送信回路が制限抵抗を介して室外電源回路に接続され、この室内電源回路と室外送信回路が電線により接続され、
前記室内電源回路に前記室内制御部によりＯＮ／ＯＦＦ制御されるパワーリレーが設けられ、
前記室内通信回路と室外通信回路との通信不成立状態での強制運転時においてはパワーリレーがＯＮすると共に、室内送信回路がＯＮするように制御されているエアコンにおいて、
前記通信回路と電源回路との間が電線で接続された誤配線状態が生じると、一定時間経過後に前記室内送信回路を数秒間隔で断続させるように制御させることを特徴としたエアコンの通信制御装置。
【発明の詳細な説明】
【０００１】
【発明の属する技術分野】
本発明は、室内機と室外機を備えたセパレートタイプのエアコンにおいて、室内機と室外機との間の通信制御装置に関し、特に、通信異常時の制御技術に関する。
【０００２】
【従来の技術】
従来のエアコンとして、例えば、図１に示すように、室内送信回路と室内受信回路を接続した室内通信回路と、この室内通信回路を制御する室内制御部が設けられている室内機と；室外送信回路と室外受信回路を接続した室外通信回路と、この室外通信回路を制御する室外制御部とが設けられている室外機を備え、前記室内送信回路と室外受信回路とが制限抵抗を介して電線で接続され、前記室内受信回路が制限抵抗を介して室内電源回路に接続されると共に、室外送信回路が制限抵抗を介して室外電源回路に接続され、この室内電源回路と室外送信回路が電線により接続され、前記室内電源回路に前記室内制御部によりＯＮ／ＯＦＦ制御されるパワーリレーが設けられているものが知られている。
【０００３】
この場合、前記室内通信回路と室外通信回路との通信不成立状態での強制運転時｛電源投入後一定時間内（例えば２分以内）又は試運転時｝においては、パワーリレーがＯＮすると共に、室内送信回路がＯＮするように制御されている。
このように、パワーリレーをＯＮしておくのは、ポンプダウンによる冷媒回収を可能にさせるためであり、又、室内送信回路をＯＮしておくのは、途中で通信が復帰したときに対応できるようにするためである。
【０００４】
【発明が解決しようとする課題】
しかしながら、このような通信不成立状態で、図1破線で示すように、通信回路と電源回路との間が電線で接続された誤配線状態が生じると、パワーリレー及び室内送信回路がＯＮであるため、電源回路の電流が全ての制限抵抗を通らず一部の制限抵抗だけを通るという回路が生じてしまう。
これでは、電流が通る制限抵抗の負荷が増大し、その結果、制限抵抗が異常発熱し、破壊に至るという問題が生じる。
尚、制限抵抗を予め容量の大きなものにしておけば、異常発熱を防止できるが、その分だけコスト負担が大きくなるという問題がある。
【０００５】
本発明は、上記のような従来の問題を解決するためになされたもので、通信不成立状態で、電線の誤配線状態が生じた場合に、制限抵抗の異常発熱を防止することができるエアコンの通信制御装置を提供することを課題としている。
【０００６】
【課題を解決するための手段】
上記課題を解決するために、本発明のエアコンの通信制御装置は、
室内送信回路と室内受信回路を接続した室内通信回路と、この室内通信回路を制御する室内制御部が設けられている室内機と、
室外送信回路と室外受信回路を接続した室外通信回路と、この室外通信回路を制御する室外制御部とが設けられている室外機を備え、
前記室内送信回路と室外受信回路とが制限抵抗を介して電線で接続され、
前記室内受信回路が制限抵抗を介して室内電源回路に接続されると共に、室外送信回路が制限抵抗を介して室外電源回路に接続され、この室内電源回路と室外送信回路が電線により接続され、
前記室内電源回路に前記室内制御部によりＯＮ／ＯＦＦ制御されるパワーリレーが設けられ、
前記室内通信回路と室外通信回路との通信不成立状態での強制運転時｛電源投入後一定時間内（例えば２分以内）又は試運転時｝においてはパワーリレーがＯＮすると共に、室内送信回路がＯＮするように制御されているエアコンにおいて、
前記通信回路と電源回路との間が電線で接続された誤配線状態が生じると、一定時間経過後に前記室内送信回路を数秒間隔で断続させるように制御させる構成とした。
【０００７】
本発明では、誤配線状態が生じると、室内送信回路を数秒間隔で断続させるため、常時接続に比べて制限抵抗の負荷が増大するのを抑えることができるし、又、室内送信回路が断続的にではあるがＯＮするため、途中で通信が復帰したときにも対応することができる。
【０００８】
【発明の実施の形態】
以下、本発明の実施の形態を図面により説明する。尚、本発明の具体的な構成は、以下の実施の形態に限定されるものではない。
図１は本発明の実施の１形態であって、エアコンの通信回路図、図２は通信制御装置のフローチャートである。
【０００９】
図１で示した通信回路の構成は、前述の「従来の技術」の欄及び「発明が解決しようとする課題」の欄で説明した通りである。
図において、１は室内機で、室内送信回路２０と室内受信回路２１を接続した室内通信回路２と、この室内通信回路２を制御する室内マイコン３（室内制御部）が設けられている。
４は室外機で、室外送信回路５０と室外受信回路５１を接続した室外通信回路５と、この室外通信回路５を制御する室外マイコン６（室外制御部）とが設けられている。
前記室内機１と室外機４とは、３本の電線７０，８０，８１により接続され、この場合、室内送信回路２０と室外受信回路５１とが制限抵抗Ｒ１を介して電線７０で接続され、室内電源回路８２と室外電源回路８３が２本の電線８０，８１により接続されている。
【００１０】
又、前記室内受信回路２１は制限抵抗Ｒ２を介して室内電源回路８２に接続され、室外送信回路５０は制限抵抗Ｒ３を介して室外電源回路８３に接続され、前記室内電源回路８２に室内制御部３によりＯＮ／ＯＦＦ制御されるパワーリレー８４が設けられている。
尚、９０はダイオード、９１はコンデンサであり整流と平滑を行う。
【００１１】
そして、前記室内マイコン３は、前記室内通信回路２と室外通信回路５との通信不成立状態での強制運転時、例えば、電源投入後２分以内又は試運転時において、パワーリレー８４をＯＮさせると共に、室内送信回路２０をＯＮさせるように制御する。
【００１２】
このような通信不成立状態で、仮に図１の破線で示すように、通信回路２，５と電源回路８２，８３との間が電線７０及び電線８１で接続された誤配線状態が生じた場合には、前記室内マイコン３は、一定時間（例えば２０秒間）経過後に前記室内送信回路２０を数秒間隔で断続（例えば、ＯＮ１秒／ＯＦＦ２秒）させるように制御する。尚、図１においては被制御対象である送風機、圧縮機等は省略してある。
【００１３】
この制御の流れを図２のフローチャートにより説明する。
エアコンの電源投入（ステップＳ１）により、パワーリレー８４及び室内送信回路２０はＯＮになる（ステップＳ２），（ステップＳ３）。この場合、室内送信回路２０は１秒間通信出力をＯＮして室外通信回路５からの応答待ちになり、この状態で通信異常が判断される（ステップＳ４）。
【００１４】
この場合の判断は、室内送信回路２０からの送信に対し室外通信回路５からの応答が正常か否かで判断され、通信異常（ＮＯ）の場合には、通信エラーカウンタが１秒ごとにカウントを重ねていく（ステップＳ５）。
上記ステップＳ５で通信エラーカウンタが１秒ごとにカウントを重ねていくと、そのカウント数が判断され（ステップＳ１０）、そのカウント数が２０回（２０秒）をカウントするまでの間（ＮＯ）はステップＳ３→Ｓ４→Ｓ５→Ｓ１０を繰り返す。
この２０秒間はパワーリレー８４及び室内送信回路２０はＯＮを維持する。
【００１５】
Ｓ４で通信正常（ＹＥＳ）の場合には、通信エラーカウンタがゼロ復帰し（ステップＳ６）、次に運転停止指令等の通信終了条件が判断され（ステップＳ７）、通信終了条件が入力されれば（ＹＥＳ）、パワーリレー８４がＯＦＦ（ステップＳ８）して正常終了し（ステップＳ９）、通信終了条件が入力されるまでは（ＮＯ）ステップＳ３→Ｓ４→Ｓ６→Ｓ７を繰り返す。
【００１６】
ステップＳ１０で通信エラーカウンタによるカウント数が２０回を超えると（ＹＥＳ）、次に強制通信モードか否かが判断される（ステップＳ１１）。この強制通信モードは、エアコンの運転が強制運転、即ち、電源投入後２分以内又は試運転か否かを判断するもので、強制運転でない場合（ＮＯ）には、パワーリレー８４をＯＦＦすると共に通信異常表示を行い（ステップＳ１２）、強制終了する（ステップＳ１３）。
【００１７】
前記ステップＳ１１で強制運転時であると判断されると（ＹＥＳ）、室内送信回路２０からの送信を２秒間停止させた（ステップＳ１４）のちステップＳ３に戻り、室内送信回路２０をＯＮ１秒／ＯＦＦ２秒という数秒間隔で断続させる。尚、この室内送信回路２０の断続は、ステップＳ１１において強制運転時でないと判断（ＮＯ）されるまで繰り返される。
【００１８】
以上のように、電線７０及び電線８１の誤配線状態が生じたとしても、室内送信回路２０を数秒間隔で断続させるように制御するため、常時接続に比べて制限抵抗の負荷が増大するのを抑えることができるし、又、この断続状態において室内送信回路２０が断続的にではあるがＯＮするため、途中で通信が復帰したときにも対応することができる。
【００１９】
尚、本発明において、強制運転時間、室内送信回路を断続させるまでの時間（通信エラーカウンタのカウント数）、及び室内送信回路のＯＮ／ＯＦＦ秒数は実施の形態に限定されない。
【００２０】
【発明の効果】
以上説明してきたように、本発明のエアコンの通信制御装置にあっては、通信不成立状態で、通信ケーブル及び電線の誤配線状態が生じた場合に、室内送信回路を数秒間隔で断続させるように制御させるため、制限抵抗の異常発熱を防止することができるし、コスト負担が大きい容量の大きな制限抵抗を用いる必要もない。
【図面の簡単な説明】
【図１】本発明及び従来例の実施の１形態であって、エアコンの通信回路図である。
【図２】本発明の通信制御装置のフローチャートである。
【符号の説明】
１  室内機
２  室内通信回路
２０  室内送信回路
２１  室内受信回路
３  室内マイコン（室内制御部）
４  室外機
５  室外通信回路
５０  室外送信回路
５１  室外受信回路
６  室外マイコン（室外制御部）
７０  電線
８０  電線
８１  電線
８２  室内電源回路
８３  室外電源回路
８４  パワーリレー
９０  ダイオード
９１  コンデンサ
Ｒ１  制限抵抗
Ｒ２  制限抵抗
Ｒ３  制限抵抗
【図１】
0003884646.tif 000002
【図２】
0003884646.tif 000003